(57)【要約】【課題】棚板のスライド移動量を良好に増大させること。【解決手段】前面開口１ｂを有したケース本体１の内部に前方に向けてブラケット部材１１が配設され、ブラケット部材１１に第１スライド機構１４を介して取り付けられた支持部材１２に棚板１３が支持されることにより、棚板１３が前後方向に沿ってスライド可能な商品載置棚１０が構成されたショーケースにおいて、支持部材１２と棚板１３との間に介在し、かつ支持部材１２に対して棚板１３を前後方向に沿ってスライドさせる第２スライド機構を備えている。第２スライド機構は、支持部材１２に取り付けられた第１スライド支持部１５と、棚板１３に取り付けられた第２スライド支持部１７とを備え、第１スライド支持部１５に形成された前後方向が長手方向となるスライド長孔１５２ａに、第２スライド支持部１７に設けられた突部１８が長手方向に沿って相対的に変位可能に進入して構成されたことが好ましい。【選択図】図３
2020005764.tif 000002
【特許請求の範囲】
【請求項１】
前面に開口を有したケース本体の内部に前方に向けてブラケット部材が配設され、該ブラケット部材に第１スライド機構を介して取り付けられた支持部材に棚板が支持されることによって、前記棚板が前後方向に沿ってスライド可能な商品載置棚が構成されたショーケースにおいて、
前記支持部材と前記棚板との間に介在し、かつ前記支持部材に対して前記棚板を前後方向に沿ってスライドさせる第２スライド機構を備えたことを特徴とするショーケース。
【請求項２】
前記第２スライド機構は、
前記支持部材に取り付けられた第１スライド支持部と、
前記棚板に取り付けられた第２スライド支持部と
を備え、
前記第１スライド支持部及び前記第２スライド支持部の一方に形成された前後方向が長手方向となる長孔に、前記第１スライド支持部及び前記第２スライド支持部の他方に設けられた突部が前記長手方向に沿って相対的に変位可能に進入して構成されたことを特徴とする請求項１に記載のショーケース。
【請求項３】
前面に開口を有したケース本体の内部に前方に向けてブラケット部材が配設され、該ブラケット部材に第１スライド機構を介して取り付けられた支持部材に棚板が支持されることによって、前記棚板が前後方向に沿ってスライド可能な商品載置棚が構成されたショーケースにおいて、
前記第１スライド機構の構成要素と前記支持部材との間に介在し、かつ前記構成要素に対して前記支持部材を前後方向に沿ってスライドさせる第２スライド機構を備えたことを特徴とするショーケース。
【発明の詳細な説明】
【技術分野】
【０００１】
本発明は、ショーケースに関し、より詳細には、例えばスーパーマーケットやコンビニエンスストア等の店舗に設置され、ケース本体の内部に商品を載置するための商品載置棚を備えたショーケースに関するものである。
【背景技術】
【０００２】
従来、例えばスーパーマーケットやコンビニエンスストア等の店舗では、販売商品を商品載置棚に載置させた状態でケース本体の内部に収納するようにしたショーケースが多く適用されている。
【０００３】
商品載置棚は、ブラケット部材及び棚板を備えて構成されている。ブラケット部材は、ケース本体の収納室の背面側において上下方向に所定間隔で係止孔が形成された棚支柱に対し、自身の係止片が所定の係止孔に挿入されることで該棚支柱に支持される左右一対のものである。棚板は、上面が商品を載置する載置面を構成する矩形平板状の形態を成しており、各ブラケット部材にスライド機構を介して取り付けられることで、これらブラケット部材間に跨る態様で架設されている。かかる棚板は、ブラケット部材に対して前後方向にスライド可能である（例えば、特許文献１参照）。
【先行技術文献】
【特許文献】
【０００４】
【特許文献１】特開２０１１−１６７３８４号公報
【発明の概要】
【発明が解決しようとする課題】
【０００５】
ところで、上述したショーケースにおいては、棚板のスライド移動量は、スライド機構によって決められている。そのため、棚板のスライド移動量を増大させるためには、スライド機構自身のスライド移動量を増大させる必要がある。
【０００６】
スライド機構は、前後方向が長手方向となる長尺状部材であり、ブラケット部材に取り付けられた固定部に対して、棚板に取り付けられた移動部が相対的に前後方向にスライドすることで構成されている。そのため、スライド機構自身のスライド移動量を増大させることは、固定部及び移動部の前後方向の延在長さを増大させることになり、このことは、棚板の前後方向の長さの増大化を招来し好ましくない。
【０００７】
また、スライド機構の前後方向の長さを増大させずに、固定部に対する移動部のスライド移動量を増大させることも考えられる。しかしながら、強度保持の観点から、移動部が相対的に前方にスライドした場合にも、移動部の後端部が固定部の前端部と重なり合っていることが必要とされ、これにより、固定部に対する移動部のスライド移動量の増大は強度低下を招来し好ましくない。
【０００８】
本発明は、上記実情に鑑みて、棚板のスライド移動量を良好に増大させることができるショーケースを提供することを目的とする。
【課題を解決するための手段】
【０００９】
上記目的を達成するため、本発明に係るショーケースは、前面に開口を有したケース本体の内部に前方に向けてブラケット部材が配設され、該ブラケット部材に第１スライド機構を介して取り付けられた支持部材に棚板が支持されることによって、前記棚板が前後方向に沿ってスライド可能な商品載置棚が構成されたショーケースにおいて、前記支持部材と前記棚板との間に介在し、かつ前記支持部材に対して前記棚板を前後方向に沿ってスライドさせる第２スライド機構を備えたことを特徴とする。
【００１０】
また本発明は、上記ショーケースにおいて、前記第２スライド機構は、前記支持部材に取り付けられた第１スライド支持部と、前記棚板に取り付けられた第２スライド支持部とを備え、前記第１スライド支持部及び前記第２スライド支持部の一方に形成された前後方向が長手方向となる長孔に、前記第１スライド支持部及び前記第２スライド支持部の他方に設けられた突部が前記長手方向に沿って相対的に変位可能に進入して構成されたことを特徴とする。
【００１１】
また、本発明に係るショーケースは、前面に開口を有したケース本体の内部に前方に向けてブラケット部材が配設され、該ブラケット部材に第１スライド機構を介して取り付けられた支持部材に棚板が支持されることによって、前記棚板が前後方向に沿ってスライド可能な商品載置棚が構成されたショーケースにおいて、前記第１スライド機構の構成要素と前記支持部材との間に介在し、かつ前記構成要素に対して前記支持部材を前後方向に沿ってスライドさせる第２スライド機構を備えたことを特徴とする。
【発明の効果】
【００１２】
本発明によれば、支持部材と棚板との間に介在する第２スライド機構が、支持部材に対して棚板を前後方向に沿ってスライドさせるので、上記支持部材とブラケット部材との間に介在する第１スライド機構の延在長さや強度を維持しながら、棚板のスライド移動量を増大させることができる。従って、棚板のスライド移動量を良好に増大させることができるという効果を奏する。
【００１３】
また本発明によれば、第１スライド機構の構成要素と支持部材との間に介在する第２スライド機構が、構成要素に対して支持部材を前後方向に沿ってスライドさせるので、第１スライド機構の延在長さや強度を維持しながら、棚板のスライド移動量を増大させることができる。従って、棚板のスライド移動量を良好に増大させることができるという効果を奏する。
【図面の簡単な説明】
【００１４】
【図１】図１は、本発明の実施の形態１であるショーケースを示す断面側面図である。
【図２】図２は、図１に示した１つの商品載置棚を示す斜視図である。
【図３】図３は、図１に示した１つの商品載置棚の要部を拡大して示す拡大斜視図である。
【図４】図４は、図１に示した１つの商品載置棚の要部を拡大して示す拡大正面図である。
【図５】図５は、図１に示した１つの商品載置棚の要部の分解斜視図である。
【図６】図６は、図２に示した商品載置棚の棚板を前方にスライドさせた状態を示す斜視図である。
【図７】図７は、図２に示した商品載置棚の棚板を前方にスライドさせた状態を示す斜視図である。
【図８】図８は、図２に示した商品載置棚の棚板を前方にスライドさせた状態を示す斜視図である。
【図９】図９は、図２に示した商品載置棚の棚板を前方にスライドさせた状態を示す斜視図である。
【図１０】図１０は、図４に示した商品載置棚の要部の変形例を拡大して示す拡大正面図である。
【図１１】図１１は、本発明の実施の形態２であるショーケースを示す断面側面図である。
【図１２】図１２は、図１１に示した１つの商品載置棚を示す斜視図である。
【図１３】図１３は、図１１に示した１つの商品載置棚を示す斜視図である。
【図１４】図１４は、図１１に示した１つの商品載置棚の要部の分解斜視図である。
【図１５】図１５は、図１２に示した商品載置棚の棚板を前方にスライドさせた状態を示す斜視図である。
【図１６】図１６は、図１２に示した商品載置棚の棚板を前方にスライドさせた状態を示す斜視図である。
【発明を実施するための形態】
【００１５】
以下に添付図面を参照して、本発明に係るショーケースの好適な実施の形態について詳細に説明する。
【００１６】
＜実施の形態１＞
図１は、本発明の実施の形態１であるショーケースを示す断面側面図である。ここで例示するショーケースは、例えばコンビニエンスストア等の店舗において販売商品をケース本体１の内部に収納するようにしたものである。本実施の形態１では特に、要冷蔵商品を収納するための冷蔵用ショーケースを例示している。
【００１７】
すなわち、このショーケースでは、ケース本体１の内部に背面板２を設けることによって背面板２とケース本体１の後壁１ａとの間に通風ダクト３を構成するとともに、背面板２よりも前方に収納室４を構成している。通風ダクト３の内部には、蒸発器５や送風ファン６を配設している。蒸発器５は、図示していないコンデンシングユニットとともに冷凍サイクルを構成し、通過する空気との間において熱交換を行うものである。このショーケースでは、図示せぬコンデンシングユニット及び送風ファン６を駆動すれば、蒸発器５を通過した空気が通風ダクト３を通じて収納室４に循環供給され、収納室４が所望の冷蔵温度に維持されることになる。
【００１８】
ケース本体１は、前面に開口（以下、前面開口ともいう）１ｂを有した箱状を成すもので、収納室４に複数段の商品載置棚１０を備えている。収納室４の各段の商品載置棚１０は、同様の構成を有したものであるから、以下では１つの商品載置棚１０について説明を行う。
【００１９】
図２及び図３は、それぞれ図１に示した１つの商品載置棚１０を示すもので、図２は斜視図、図３は要部を拡大して示す拡大斜視図である。商品載置棚１０は、図２及び図３に示すように、ブラケット部材１１、支持部材１２及び棚板１３を備えて構成してある。
【００２０】
ブラケット部材１１は、背面板２の左右両側の前面に取り付けた棚支柱７から前方に突出するように配設したものである。つまり、ブラケット部材１１は、ケース本体１の内部である収納室４に互いに離隔する態様で前方に向けて配設した左右一対のものである。以下においては便宜上、２つのブラケット部材１１において互いに近接した方向を内側と称し、互いに離反した方向を外側と称して説明する。
【００２１】
ブラケット部材１１は、板金等から形成したものであり、側壁部１１１及び上壁部１１２（図４等参照）を一体に成形することによって構成してある。側壁部１１１は、ブラケット部材１１の主要な構成要素であり、前後方向が長手方向となる長尺状部分である。この側壁部１１１は、後端部の上下寸法が該後端部よりも前方側の領域の上下寸法よりも大きく形成してあり、該後端部の後端部分には後方に突出する複数の係止片１１１ａが形成してある。これら係止片１１１ａは、棚支柱７の前面に設けられた図示せぬ係止孔の任意に挿入することが可能である。係止片１１１ａを係止孔に挿入した場合には、側壁部１１１の後端部分が棚支柱７の前面に当接することになり、ブラケット部材１１を棚支柱７の任意の高さに略水平の片持ち状態で支持させることが可能である。
【００２２】
この側壁部１１１の内側には、図４にも示すように、第１スライド機構１４の外側構成要素１４１が取り付けてある。第１スライド機構１４は、従来公知のものであり、外側構成要素１４１に対して該第１スライド機構１４を構成する内側構成要素１４２が前後方向にスライドすることを許容するものである。上壁部１１２は、側壁部１１１の上端縁部より内側に向けて延在する水平延在部分である。
【００２３】
支持部材１２は、前後方向が長手方向となる長尺状部材であり、支持側壁部１２１及び支持上壁部１２２を一体に成形することによって構成してある。支持側壁部１２１は、上下方向に沿って延在する部分であり、下端部が外側に屈曲している。この支持側壁部１２１の外側には、第１スライド機構１４の内側構成要素１４２が取り付けてある。これにより、支持部材１２は、ブラケット部材１１に対して前後方向に沿ってスライド移動可能である。支持上壁部１２２は、支持側壁部１２１の上端縁部より外側に向けて延在する水平延在部分であり、上記側壁部１１１よりも上方に配置されている。この支持上壁部１２２の上面は、摩擦抵抗が低減されるよう平滑に加工されている。
【００２４】
かかる支持部材１２の支持側壁部１２１の内面には、図５に示すように、複数（図示の例では２つ）の第１スライド支持部１５が前後に設けられたスペーサ部材１６が取り付けてある。
【００２５】
第１スライド支持部１５は、例えば板金等から形成したものであり、第１スライド側壁部１５１及び第１スライド上壁部１５２を一体に成形することによって構成してある。第１スライド側壁部１５１は、上下方向に沿って延在する板状部材であり、締結部材を介してスペーサ部材１６に取り付けてある。第１スライド上壁部１５２は、第１スライド側壁部１５１の上端縁部より内側に向けて延在する水平延在部分である。この第１スライド上壁部１５２には、前後方向が長手方向となるスライド長孔１５２ａが形成してある。
【００２６】
棚板１３は、矩形状を成しており、その上面が販売商品が載置される載置面を構成している。この棚板１３の左右両側部の下面には、第２スライド支持部１７が設けてある。第２スライド支持部１７は、例えば板金等から形成したものであり、前後方向が長手方向となる長尺状部材である。この第２スライド支持部１７は、第２スライド基部１７１、第２スライド下延部１７２及び第２スライド内延部１７３を一体に成形することによって構成してある。
【００２７】
第２スライド基部１７１は、棚板１３の左右両側部の下面に接合される水平延在部分である。この第２スライド基部１７１は、支持上壁部１２２の上方に配置される。第２スライド下延部１７２は、第２スライド基部１７１の内端縁部より下方に向けて延在する部分である。第２スライド内延部１７３は、第２スライド下延部１７２の下端縁部より内側に向けて延在する水平延在部分である。この第２スライド内延部１７３は、第１スライド支持部１５の第１スライド上壁部１５２に対向する態様で、該第１スライド上壁部１５２の上方に配置されている。かかる第２スライド内延部１７３には、段付きネジ等で構成される突部１８が、第１スライド上壁部１５２に形成されたスライド長孔１５２ａを下方から貫通する態様で設けてある。
【００２８】
これにより、突部１８が長手方向（前後方向）に沿って相対的に変位可能にスライド長孔１５２ａに進入して、第１スライド支持部１５と第２スライド支持部１７とが係合している。この場合、第２スライド内延部１７３と第１スライド上壁部１５２との間、並びに第２スライド基部１７１と支持上壁部１２２との間には、間隙が形成されるように第１スライド支持部１５と第２スライド支持部１７とが係合している。
【００２９】
このように第１スライド支持部１５と第２スライド支持部１７とが係合することで、棚板１３は、ブラケット部材１１間において、支持部材１２に支持されて架設されている。
【００３０】
以上のような構成を有するショーケースにおいては、商品載置棚１０を構成する棚板１３が、ブラケット部材１１間において、支持部材１２に支持されているので、第１スライド機構１４により支持部材１２が前方にスライドすることで、図６及び図７に示すように、棚板１３を前方にスライドさせることができる。そして、支持部材１２にスペーサ部材１６を介して取り付けられた第１スライド支持部１５と、棚板１３に取り付けられた第２スライド支持部１７とは、第１スライド支持部１５に形成されたスライド長孔１５２ａに、第２スライド支持部１７に設けられた突部１８が該スライド長孔１５２ａの長手方向に沿って相対的に変位可能に進入して係合しているので、図８及び図９に示すように、突部１８がスライド長孔１５２ａの前端部に変位するまで棚板１３を前方にスライドさせることができる。
【００３１】
このように第１スライド支持部１５及び第２スライド支持部１７は、支持部材１２と棚板１３との間に介在し、かつ支持部材１２に対して棚板１３を前後方向に沿ってスライドさせる第２スライド機構を構成している。
【００３２】
以上説明したように、本発明の実施の形態１であるショーケースによれば、第１スライド機構１４により支持部材１２がブラケット部材１１に対して前方にスライドすることで棚板１３を前方にスライドさせるだけでなく、第２スライド支持部１７に設けられた突部１８が第１スライド支持部１５のスライド長孔１５２ａの前端部に変位するまで棚板１３を前方にスライドさせることができるので、第１スライド機構１４の延在長さや強度を維持しながら、棚板１３のスライド移動量を増大させることができる。従って、棚板１３のスライド移動量を良好に増大させることができる。
【００３３】
上記実施の形態１においては、第１スライド支持部１５にスライド長孔１５２ａが形成され、第２スライド支持部１７に突部１８が設けられていたが、本発明においては、第１スライド支持部に突部が設けられ、第２スライド支持部に長孔が形成されていてもよい。
【００３４】
上記実施の形態１においては、支持上壁部１２２と第２スライド基部１７１との間には間隙が設けられていたが、本発明においては、図１０に示すように、支持上壁部１２２の上面に前後方向に沿って延在する突起部１２２ａを形成し、該突起部１２２ａの先端が第２スライド基部１７１に接するようにしてもよい。
【００３５】
＜実施の形態２＞
図１１は、本発明の実施の形態２であるショーケースを示す断面側面図である。尚、上述した実施の形態１であるショーケースと同一の構成要素には同一の符号を付してその説明を適宜省略する。
【００３６】
ここで例示するショーケースでは、ケース本体１の収納室４に複数段の商品載置棚２０を備えている。収納室４の各段の商品載置棚２０は、同様の構成を有したものであるから、以下では１つの商品載置棚２０について説明を行う。
【００３７】
図１２及び図１３は、それぞれ図１１に示した１つの商品載置棚２０を示す斜視図である。商品載置棚２０は、ブラケット部材２１、支持部材２２及び棚板２３を備えて構成してある。
【００３８】
ブラケット部材２１は、背面板２の左右両側の前面に取り付けた棚支柱７から前方に突出するように配設したものである。つまり、ブラケット部材２１は、ケース本体１の内部である収納室４に互いに離隔する態様で前方に向けて配設した左右一対のものである。以下においては便宜上、２つのブラケット部材２１において互いに近接した方向を内側と称し、互いに離反した方向を外側と称して説明する。
【００３９】
ブラケット部材２１は、板金等から形成したものであり、側壁部２１１及び上壁部２１２を一体に成形することによって構成してある。側壁部２１１は、ブラケット部材２１の主要な構成要素であり、前後方向が長手方向となる長尺状部分である。この側壁部２１１は、後端部の上下寸法が該後端部よりも前方側の領域の上下寸法よりも大きく形成してあり、該後端部の後端部分には後方に突出する複数の係止片２１１ａが形成してある。これら係止片２１１ａは、棚支柱７の前面に設けられた図示せぬ係止孔の任意に挿入することが可能である。係止片２１１ａを係止孔に挿入した場合には、側壁部２１１の後端部分が棚支柱７の前面に当接することになり、ブラケット部材２１を棚支柱７の任意の高さに略水平の片持ち状態で支持させることが可能である。
【００４０】
この側壁部２１１の外側には、第１スライド機構２４の内側構成要素２４１が取り付けてある。第１スライド機構２４は、従来公知のものであり、内側構成要素２４１に対して該第１スライド機構２４を構成する外側構成要素２４２が前後方向にスライドすることを許容するものである。上壁部２１２は、側壁部２１１の上端縁部より内側に向けて延在する水平延在部分である。
【００４１】
支持部材２２は、例えば板金等から形成したものであり、前後方向が長手方向となる長尺状部材である。この支持部材２２は、図１４に示すように、支持側壁部２２１及び支持上壁部２２２を一体に成形することによって構成してある。
【００４２】
支持側壁部２２１は、上下方向に沿って延在する部分である。かかる支持側壁部２２１には、複数（図示の例では２つ）のスライド長孔２２１ａが形成してある。これらスライド長孔２２１ａは、前後方向が長手方向となるものである。これらスライド長孔２２１ａを外側より貫通する段付きネジ等の突部２５が第１スライド機構２４の外側構成要素２４２に設けられることで、支持側壁部２２１は該外側構成要素２４２に係合している。この突部２５は、スライド長孔２２１ａの長手方向に沿って相対的に変位可能に進入している。支持上壁部２２２は、支持側壁部２２１の上端縁部より内側に向けて延在する水平延在部分である。
【００４３】
棚板２３は、矩形状を成しており、その上面が販売商品が載置される載置面を構成している。この棚板２３の左右両側部の下面は、支持上壁部２２２に接合してある。これにより棚板２３は、ブラケット部材２１間において、支持部材２２に支持されて架設されている。
【００４４】
以上のような構成を有するショーケースにおいては、商品載置棚２０を構成する棚板２３が、ブラケット部材２１間において、支持部材２２に支持されているので、第１スライド機構２４により支持部材２２が前方にスライドすることで、図１５に示すように、棚板２３を前方にスライドさせることができる。そして、支持部材２２に形成されたスライド長孔２２１ａに、外側構成要素２４２に設けられた突部２５が該スライド長孔２２１ａの長手方向に沿って相対的に変位可能に進入して係合しているので、図１６に示すように、突部２５がスライド長孔２２１ａの後端部に変位するまで棚板２３を前方にスライドさせることができる。
【００４５】
このように支持部材２２のスライド長孔２２１ａ及び外側構成要素２４２の突部２５は、第１スライド機構２４の外側構成要素２４２と支持部材２２との間に介在し、かつ外側構成要素２４２に対して支持部材２２を前後方向に沿ってスライドさせる第２スライド機構を構成している。
【００４６】
以上説明したように、本発明の実施の形態２であるショーケースによれば、第１スライド機構２４により支持部材２２がブラケット部材２１に対して前方にスライドすることで棚板２３を前方にスライドさせるだけでなく、第１スライド機構２４の外側構成要素２４２に設けられた突部２５が支持部材２２のスライド長孔２２１ａの後端部に変位するまで棚板２３を前方にスライドさせることができるので、第１スライド機構２４の延在長さや強度を維持しながら、棚板２３のスライド移動量を増大させることができる。従って、棚板２３のスライド移動量を良好に増大させることができる。
【００４７】
上記実施の形態２においては、支持部材２２にスライド長孔２２１ａが形成され、第１スライド機構２４の外側構成要素２４２に突部２５が設けられていたが、本発明においては、支持部材に突部が設けられ、外側構成要素に長孔が形成されていてもよい。
【符号の説明】
【００４８】
１  ケース本体
１ｂ  前面開口
４  収納室
１０  商品載置棚
１１  ブラケット部材
１１１  側壁部
１１２  上壁部
１２  支持部材
１２１  支持側壁部
１２２  支持上壁部
１３  棚板
１４  第１スライド機構
１４１  外側構成要素
１４２  内側構成要素
１５  第１スライド支持部
１５１  第１スライド側壁部
１５２  第１スライド上壁部
１５２ａ  スライド長孔
１６  スペーサ部材
１７  第２スライド支持部
１７１  第２スライド基部
１７２  第２スライド下延部
１７３  第２スライド内延部
１８  突部
【図１】
2020005764.tif 000003
【図２】
2020005764.tif 000004
【図３】
2020005764.tif 000005
【図４】
2020005764.tif 000006
【図５】
2020005764.tif 000007
【図６】
2020005764.tif 000008
【図７】
2020005764.tif 000009
【図８】
2020005764.tif 000010
【図９】
2020005764.tif 000011
【図１０】
2020005764.tif 000012
【図１１】
2020005764.tif 000013
【図１２】
2020005764.tif 000014
【図１３】
2020005764.tif 000015
【図１４】
2020005764.tif 000016
【図１５】
2020005764.tif 000017
【図１６】
2020005764.tif 000018